(57)【要約】【課題】紙送りローラー、紙押えローラーによる記録紙幅方向における左右の送り力の釣り合い状態を確実に形成することのできる紙送り機構を備えたプリンターを提案すること。【解決手段】ロール紙プリンター１の紙送り機構３０では、押えレバー支点３１ｋを中心とする自動調芯作用と、引張りコイルばね３２のばね掛け位置の調整とによって、押えレバー３１に支持されている紙押えローラー２３を紙送りローラー２１に対して幅方向の各部分において均一な押し付け力となるように押し付け、紙送りローラー２１と紙押えローラー２３による記録紙１２ａの紙送り力を、記録紙１２ａの幅方向の左右において均衡させることができ、記録紙１２ａの蛇行、斜行、紙詰まりを防止できる。【選択図】図６
2010201682.tif 000002
【特許請求の範囲】
【請求項１】
紙送りローラーと、
前記紙送りローラーに押し付けられる紙押えローラーと、
前記紙押えローラーを支持しているローラー支持部材と
前記ローラー支持部材を、揺動支点を中心として揺動可能な状態で支持している揺動支
持部材と、
前記ローラー支持部材を介して前記紙押えローラーを前記紙送りローラーに向けて付勢
する付勢部材とを有し、
前記ローラー支持部材における紙送り方向の下流側に前記紙押えローラーが紙幅方向に
架け渡されており、
前記ローラー支持部材における紙送り方向の上流側が前記付勢部材の付勢位置であり、
当該付勢部材の付勢位置は前記紙幅方向に変更可能となっていることを特徴とするプリ
ンターの紙送り機構。
【請求項２】
前記揺動支持部材は前記紙幅方向に延びている軸部材を含むものであり、
前記ローラー支持部材は、その紙幅方向の両側の部分に、前記軸部材の両側の軸端部を
所定量だけ移動可能に支持する軸孔を備えており、
当該ローラー支持部材は、その紙幅方向のほぼ中央の部分に、前記揺動支点を備えてお
り、
前記軸部材は、前記揺動支点で係合し、前記軸孔に通されていることを特徴とする請求
項１に記載のプリンターの紙送り機構。
【請求項３】
前記付勢部材はばね部材であり、
前記ローラー支持部材は前記ばね部材を掛けるばね掛け面を備えており、
当該ばね掛け面には、前記紙幅方向に沿ってばね掛け用の凹部あるいは凸部が複数個所
に形成されていることを特徴とする請求項１または２に記載のプリンターの紙送り機構。
【請求項４】
前記紙押えローラーは、紙押えローラー軸と、この紙押えローラー軸に同軸状態に取り
付けられている複数個のローラー本体とを備えており、
前記複数個のローラー本体は、前記紙押えローラー軸の幅方向においてほぼ左右対称の
位置に配置されていることを特徴とする請求項１ないし３のうちのいずれかの項に記載の
プリンターの紙送り機構。
【請求項５】
前記紙押えローラーは２個の前記ローラー本体を備えており、
これらのローラー本体はほぼ同一幅のローラー外周面を備えており、
これらのローラー本体の間隔は、前記ローラー外周面の幅とほぼ同一であることを特徴
とする請求項４に記載のプリンターの紙送り機構。
【請求項６】
前記紙送りローラーは、前記紙押えローラーが押え付けられた押し付け位置から、前記
紙押えローラーに対して相対的に後退可能であり、
前記ローラー支持部材の揺動を規制する規制部材を有しており、
前記ローラー支持部材はその紙幅方向の両側部分に、前記規制部材に当接可能な当接部
を備えており、
前記紙送りローラーが前記押し付け位置から相対的に後退すると、前記当接部が前記規
制部材に当接することを特徴とする請求項１ないし５のうちのいずれかの項に記載のプリ
ンターの紙送り機構。
【請求項７】
請求項１ないし６のうちのいずれかの項に記載の紙送り機構を備えていることを特徴と
するプリンター。
【請求項８】
プリンター本体に形成したロール紙収納部と、
前記ロール紙収納部を開閉するために前記プリンター本体に取り付けた開閉蓋と、
請求項６に記載の紙送り機構とを有しており、
前記紙送り機構の前記紙送りローラーは前記開閉蓋に搭載されており、
前記紙送り機構の前記紙押えローラー、前記ローラー支持部材、前記揺動支持部材、前
記付勢部材および前記規制部材は前記プリンター本体に搭載されており、
前記開閉蓋を閉じると前記紙送りローラーに前記紙押えローラーが押し付けられた状態
が形成され、
前記開閉蓋を開けると、前記紙押えローラーから前記紙送りローラーが離れ、前記ロー
ラー支持部材の前記当接部が前記規制部材に当接することを特徴とするロール紙プリンタ
ー。
【発明の詳細な説明】
【技術分野】
【０００１】
本発明は、紙送りローラーおよび紙押えローラーにより記録紙を搬送する紙送り機構お
よびプリンターに関する。
【背景技術】
【０００２】
ロール紙プリンターなどのプリンターにおいては、モーターによって回転駆動する紙送
りローラーに対して、紙押えローラーによって記録紙を押し付けながら当該記録紙の搬送
を行う紙送り機構が用いられている。このような紙送り機構は特許文献１、２に開示され
ている。また、特許文献３には、紙押えローラーをトーションバーを用いて紙送りローラ
ーに押し付けている紙送り機構が提案されている。
【０００３】
紙送り機構においては、紙押えローラーの紙送りローラーに対する接触圧を幅方向（軸
線方向）において均一にするために調芯機構が一般に設けられている。調芯機構によって
、紙押えローラーはその幅方向の中央を中心として揺動して、幅方向の各部分において均
一な接触圧で紙送りローラーに押し付けられた状態が形成される。
【先行技術文献】
【特許文献】
【０００４】
【特許文献１】特開平５−９２６２７号公報
【特許文献２】特開平７−３２３６２３号公報
【特許文献３】特開２００４−２６９１７６号公報
【発明の概要】
【発明が解決しようとする課題】
【０００５】
しかしながら、調芯機構による紙押えローラーの揺動中心と、記録紙搬送路の幅方向の
中心とがずれている場合などにおいては、搬送される記録紙の紙幅方向の一方の側の方が
他方の側に比べて強い押し付け力でローラー間に挟まれた片当たり状態になることがある
。このような場合には、調芯機構による調芯動作にも拘わらず、記録紙の幅方向の左右の
紙送り力が不均一となり、記録紙の蛇行、斜行が発生し、紙詰まりに繋がるおそれもある
。
【０００６】
特に、ロール紙プリンターなどにおいては、ロール紙収納部を開閉する開閉蓋に紙送り
ローラーが搭載され、プリンター本体側の固定した位置に紙押えローラーが搭載され、開
閉蓋を開くと記録紙搬送路も開放状態に切り替わる構成のものが知られている。この構成
のロール紙プリンターでは、紙送りローラーと紙押えローラーが別部材に搭載されており
、それらの幅方向の中心位置にずれが生じやすい。このため、調芯機構が備わっている場
合であっても記録紙の蛇行、斜行などが発生し易い。
【０００７】
本発明の課題は、このような点に鑑みて、紙送りローラーおよび紙押えローラーによる
記録紙幅方向における左右の紙送り力の釣り合い状態を確実に形成可能な調芯機構を備え
たプリンターの紙送り機構、および、当該紙送り機構を備えたプリンターを提案すること
にある。
【課題を解決するための手段】
【０００８】
上記の課題を解決するために、本発明のプリンターの紙送り機構は、
紙送りローラーと、
前記紙送りローラーに押し付けられる紙押えローラーと、
前記紙押えローラーを支持しているローラー支持部材と
前記ローラー支持部材を揺動支点を中心として揺動可能な状態で支持している揺動支持
部材と、
前記ローラー支持部材を介して前記紙押えローラーを前記紙送りローラーに向けて付勢
する付勢部材とを有し、
前記ローラー支持部材における紙送り方向の下流側に前記紙押えローラーが紙幅方向に
架け渡されており、
前記ローラー支持部材における紙送り方向の上流側が前記付勢部材の付勢位置であり、
当該付勢部材の付勢位置は前記紙幅方向に変更可能となっていることを特徴としている
。
【０００９】
本発明の紙送り機構では、揺動支持部材によって前後左右に揺動可能に支持されている
ローラー支持部材が、その紙送り方向の上流側（後側）の位置において付勢部材によって
前後方向に揺動する方向に付勢されている。したがって、その紙送り方向の下流側（前側
）に取り付けられている紙押えローラーが紙送りローラーの側に押し付けられた状態が形
成される。また、ローラー支持部材は揺動支持部材によって紙幅（左右）方向にも揺動可
能であるので、当該ローラー支持部材が左右方向に揺動することにより、紙押えローラー
が紙送りローラーに対して紙幅方向（左右方向）の各部において均一な押し付け力で押し
付けられた自動調芯状態が形成される。
【００１０】
また、かかる自動調芯用の揺動支点が、紙送りローラーの幅方向の中心（記録紙搬送路
の幅方向の中心）に一致していない場合には、搬送される記録紙に作用する紙送り力が紙
幅方向の左右において不均衡となり、記録紙の蛇行、斜行が発生しやすくなる。しかし、
本発明では、付勢部材によるローラー支持部材の付勢位置を紙幅（左右）方向に移動させ
ることができ、付勢位置を移動すると、紙押えローラーの左右に作用する付勢力を増減さ
せることができる。これによって、紙送りローラーと紙押えローラーによる紙送り力の左
右の不均衡を解消でき、蛇行、斜行、紙詰まりなく、記録紙を搬送できる。
【００１１】
ここで、前記揺動支持部材として、前記紙幅方向に延びている軸部材を含む場合には、
前記ローラー支持部材の紙幅方向の両側の部分に、前記軸部材の両側の軸端部を所定量だ
け移動可能に支持する軸孔を形成し、さらに、当該ローラー支持部材の紙幅方向のほぼ中
央の部分に、前記揺動支点を形成し、前記軸部材を、前記揺動支点で係合し、前記軸孔に
通しておけばよい。
【００１２】
また、前記付勢部材としては、引張りコイルばねなどのばね部材を用いることができる
。この場合には、前記ローラー支持部材に前記ばね部材を掛けるばね掛け面を形成し、当
該ばね掛け面に、前記紙幅方向に沿ってばね掛け用の凹部あるいは凸部を複数個所に形成
しておけばよい。
【００１３】
次に、本発明の紙送り機構は、前記紙押えローラーが、紙押えローラー軸と、この紙押
えローラー軸に同軸状態に取り付けられている複数個のローラー本体とを備えており、前
記複数個のローラー本体は、前記紙押えローラー軸の幅方向においてほぼ左右対称の位置
に配置されていることを特徴としている。
【００１４】
紙押えローラーのローラー幅が広い場合には、そのローラー径の幅方向のバラツキも大
きくなり、幅方向における紙送りローラーに対する接触圧を均一にすることが困難である
。紙押えローラーを複数個にすることにより、各紙押えローラーのローラー幅を狭くでき
るので、ローラー径の幅方向のバラツキを抑制でき、記録紙の幅方向の各部分を均一な送
り力で搬送することができる。よって、記録紙の蛇行、斜行、紙詰まりを防止することが
できる。
【００１５】
ここで、前記紙押えローラーとしては、２個の前記ローラー本体を備え、これらのロー
ラー本体をほぼ同一幅のローラー外周面を備えたものとし、これらのローラー本体の間隔
を、前記ローラー外周面の幅とほぼ同一にすることが望ましい。
【００１６】
紙押えローラーのローラー本体の幅を十分に狭くし、これらを、幅方向の中央において
左右対称に配置すると、当該紙押えローラーによって紙送りローラーに押し付けられなが
ら搬送される記録紙は、その幅方向の中央部分に送り力が作用する。したがって、幅方向
に離れた両側の部分に送り力が作用する場合に比べて、送り力が記録紙の幅方向において
不均一化することを抑制でき、蛇行、斜行状態を発生させることなく記録紙を搬送するこ
とができる。
【００１７】
次に、本発明の紙送り機構は、前記紙送りローラーが、前記紙押えローラーが押え付け
られた押し付け位置から、前記紙押えローラーに対して相対的に後退可能であり、前記ロ
ーラー支持部材の揺動を規制する規制部材を有しており、前記ローラー支持部材はその紙
幅方向の両側部分に、前記規制部材に当接可能な当接部を備えており、前記紙送りローラ
ーが前記押し付け位置から相対的に後退すると、前記当接部が前記規制部材に当接するこ
とを特徴としている。前記当接部が前記規制部材に当接することにより、前記ローラー支
持部材の揺動が規制される。
【００１８】
紙送りローラーおよび紙押えローラーが相互に押し付けられた状態から離れた状態に移
動すると、紙押えローラーが取り付けられているローラー支持部材の紙送り方向（前後方
向）の揺動の規制がなくなってしまうので、前後方向の揺動を規制する規制部材を配置す
る必要がある。この場合、ローラー支持部材における左右方向の一方の側のみを規制する
と、ローラー支持部材が揺動支点を中心として左右方向に揺動してしまい、紙押えローラ
ーが傾いた状態になってしまう。この状態で、再び、紙押えローラーを紙送りローラーに
押し付けた状態を形成する際には、紙送りローラーに対して紙押えローラーが片当たり状
態で接触する。この結果、紙送りローラーと紙押えローラーを押し付けた状態に保持する
ためのロック機構などが片閉まり状態（幅方向の一方は正常な係合状態になるのに対して
他方が不完全な係合のままとなった状態）に陥ることがある。
【００１９】
本発明の紙送り機構では、ローラー支持部材の左右方向の両側が規制部材に当接するの
で、紙送りローラーから離された紙押えローラーが斜めに傾くことがなく、紙送りローラ
ーに対して平行な姿勢に保持される。よって、紙送りローラーと紙押えローラーを再び押
し付けた状態に戻す際に、ロック機構などが片閉まり状態に陥ることを防止できる。
【００２０】
一方、本発明のプリンターは、上記構成の紙送り機構を備えていることを特徴としてい
る。紙送り機構によって記録紙は蛇行、斜行することなく印刷位置を経由して搬送される
ので、記録紙の搬送不良に起因した印刷品質の低下、紙詰まりなどの弊害を防止できる。
【００２１】
また、本発明の紙送り機構は特に開閉蓋を開くと記録紙搬送路が開放状態に切り替わる
ロール紙プリンターの紙送り機構として用いるのに適している。すなわち、本発明による
ロール紙プリンターは、プリンター本体に形成したロール紙収納部と、前記ロール紙収納
部を開閉するための前記プリンター本体に取り付けた開閉蓋と、上記構成の紙送り機構と
を有しており、前記紙送り機構の前記紙送りローラーは前記開閉蓋に搭載されており、前
記紙送り機構の前記紙押えローラー、前記ローラー支持部材、前記揺動支持部材、前記付
勢部材および前記規制部材は前記プリンター本体に搭載されており、前記開閉蓋を閉じる
と前記紙送りローラーに前記紙押えローラーが押しつけられた状態が形成され、前記開閉
蓋を開けると、前記紙押えローラーから前記紙送りローラーが離れ、前記ローラー支持部
材の前記当接部が前記規制部材に当接することを特徴としている。前記当接部が前記規制
部材に当接することにより、前記ローラー支持部材の揺動が規制される。
【発明の効果】
【００２２】
本発明の紙送り機構では、紙押えローラーが、揺動支持部材によって揺動支点を中心と
して前後左右に揺動可能なローラー支持部材によって支持されている。また、付勢部材に
よるローラー支持部材の付勢位置をその左右方向に変更できるようになっている。揺動支
点を中心とする自動調芯作用と、付勢部材の付勢位置の調整とによって、紙送りローラー
と紙押えローラーによる記録紙の紙送り力を、記録紙の幅方向の左右において均衡させる
ことができ、これによって、記録紙の蛇行、斜行、紙詰まりを防止できる。
【００２３】
また、紙押えローラーを、ローラー幅が狭くなるように複数のローラー本体から構成し
た場合には、各ローラー本体の幅方向のローラー径のバラツキを抑制して、記録紙幅方向
において均一な紙送り力を発生させることができ、これによっても、記録紙の蛇行、斜行
、紙詰まりを防止できる。
【００２４】
さらに、紙押えローラーが紙送りローラーから離れた状態において、ローラー支持部材
の左右方向の両側部分を規制部材に当接させるようにした場合には、紙押えレバーが斜め
に傾いた姿勢になることを防止できるので、紙押えローラーを紙送りローラーに再び押し
付けた状態を形成する際に、これらを押し付け状態に保持するためのロック機構などが片
閉まり状態に陥ることを防止できるという効果を奏する。
【図面の簡単な説明】
【００２５】
【図１】ロール紙プリンターの外観斜視図である。
【図２】開閉蓋を全開にした状態のロール紙プリンターを示す外観斜視図である。
【図３】ロール紙プリンターの内部を示す概略縦断面図である。
【図４】開閉蓋を全開にした状態のロール紙プリンターの概略縦断面図である。
【図５】紙送り機構を示す部分断面図である。
【図６】図５の紙送り機構を示す説明図である。
【図７】図５の紙送り機構を示す部分断面図である。
【図８】図５の紙送り機構とプラテン上の記録紙搬送路を示す斜視図である。
【発明を実施するための形態】
【００２６】
以下に、図面を参照して、本発明を適用した紙送り機構を備えたロール紙プリンターの
実施の形態を説明する。
【００２７】
（全体構成）
図１は本実施の形態に係るインクジェット式のロール紙プリンターの外観斜視図であり
、図２はその開閉蓋を全開にした状態の外観斜視図である。ロール紙プリンター１は全体
としてほぼ直方体形状をしたプリンター本体２と、当該プリンター本体２の前面に取り付
けた開閉蓋３とを有している。プリンター本体２の外装ケース２ａの前面には所定幅の記
録紙排出口４が形成されている。記録紙排出口４の下側には排紙ガイド５が前方に突出し
ており、当該排紙ガイド５の側方には蓋開閉レバー６が配置されている。外装ケース２ａ
における排紙ガイド５および蓋開閉レバー６の下側には、ロール紙出し入れ用の矩形の開
口部２ｂが形成されており、この開口部２ｂが開閉蓋３の蓋ケース３ａによって封鎖され
ている。
【００２８】
蓋開閉レバー６を操作すると開閉蓋３のロックが解除される。ロック解除後、排紙ガイ
ド５を前方に引くと、開閉蓋３はその下端部を中心として前方にほぼ水平となるまで開く
。開閉蓋３が開くと、図２に示すように、プリンター内部に組み込まれているロール紙収
納部１０が開放状態となる。同時に、ロール紙収納部１０から記録紙排出口４に到る記録
紙搬送経路が開放状態となり、プリンター前方からロール紙の交換作業などを簡単に行う
ことができるようになる。
【００２９】
図３はロール紙プリンター１の内部構造を示す概略縦断面図であり、図４は開閉蓋３を
全開にした状態の概略縦断面図である。ロール紙プリンター１の内部には、プリンター本
体２の幅方向の中央部分にロール紙収納部１０が形成されている。ロール紙収納部１０に
はロール紙１２がプリンター幅方向に向いた横置き状態で転動可能に収納される。ロール
紙１２は記録紙１２ａ（図においては太い一点鎖線で示してある。）をロール状に巻き取
った構成のものである。ロール紙収納部１０に収納されているロール紙１２から繰り出さ
れる長尺状の記録紙１２ａは、斜め上方に引き出された後に湾曲状のテンションガイド１
４によって湾曲させられた後に水平方向に延びている搬送路１５（記録紙１２ａを示す一
線鎖線と同一の経路）に沿って搬送され、記録紙排出口４から排出される。
【００３０】
水平方向に延びている搬送路１５の部分はロール紙供給部１０の真上に位置しており、
当該搬送路部分には、インクジェットヘッド１８およびプラテン１９が一定のギャップで
対向配置されており、プラテン１９によってインクジェットヘッド１８の印刷位置が規定
されている。
【００３１】
搬送路１５におけるインクジェットヘッド１８の上流側には紙送りローラー２１が配置
されており、この紙送りローラー２１は不図示の紙送りモーターによって回転駆動される
。この紙送りローラー２１には記録紙１２ａを介して紙押えローラー２３が連れ回りする
ように押し付けられている。インクジェットヘッド１８の下流側には、紙送りローラー２
１と同期して回転する下流側紙送りローラー２４が配置されており、この下流側紙送りロ
ーラー２４には記録紙１２ａを介して紙押えローラー２５が連れ回りするように押し付け
られている。記録紙排出口４の近傍にはオートカッター２６が配置されており、印刷後の
記録紙１２ａの先端部分が所定の長さに幅方向に切断されるようになっている。
【００３２】
ここで、テンションガイド１４は所定の範囲で移動可能な状態で不図示のプリンターフ
レームに取り付けられており、不図示のばね部材によって記録紙１２ａに張力を与える方
向に常に付勢されている。これによって、搬送路１５に沿って引き出されている記録紙１
２ａは一定の引張り状態に保持される。テンションガイド１４の近傍には不図示のガイド
センサーが配置されており、記録紙１２ａに弛みが発生してテンションガイド１４がばね
部材による付勢方向に移動すると、この移動がガイドセンサによって検出され、このセン
サーの出力に基づき記録紙１２ａの張力状態を制御可能である。
【００３３】
また、本例では、ロール紙収納部１０には、繰り出しローラー２７と、ここに押し付け
られた押えローラー２８とが配置されており、ロール紙１２から繰り出された記録紙１２
ａは、これらの間を通ってテンションガイド１４に向けて引き出されている。繰り出しロ
ーラー２７は不図示のモーターによって駆動される。この繰り出しローラー２７によって
繰り出される記録紙１２ａに弛みが生じないように制御される。
【００３４】
（紙送り機構）
図５はロール紙プリンター１に組み込まれている紙送り機構を構成している部分を取り
出して示す概略部分断面図であり、図６はその説明図である。図７（ａ）、（ｂ）および
（ｃ）は、図５のａ−ａ線、ｂ−ｂ線およびｃ−ｃ線で切断した部分を示す部分概略断面
図である。
【００３５】
これらの図を参照して説明すると、紙送り機構３０は、先に述べた紙送りローラー２１
および紙押えローラー２３を備えている（図６においては紙押えローラー２３を簡略化し
て示してある）。また、板金製の矩形板状の押えレバー３１（ローラー支持部材）を備え
ており、この押えレバー３１はプリンター前後方向に水平に配置されている天板部分３１
ａと、この両側から下方に直角に折れ曲がっている左右の側板部分３１ｂ、３１ｃとを備
えている。
【００３６】
押えレバー３１の前端（紙送り方向の下流側の端）には、その両側の側板部分３１ｂ、
３１ｃの前端が前方に突出した支持腕３１ｄ、３１ｅが形成されており、これらの支持腕
３１ｄ、３１ｅの間に、紙押えローラー２３がプリンター幅方向に水平に架け渡されてい
る。押えレバー３１の後端には天板部分３１ａの後端縁中央部分から所定幅で上方に直角
に折れ曲がったばね掛け部３１ｆが形成されており、このばね掛け部３１ｆには幅方向に
延びる横長の開口が形成されており、その開口の上端内周面がばね掛け面３１ｇとなって
いる。
【００３７】
このばね掛け面３１ｇには、上下方向に延びる引張りコイルばね３２（付勢部材）の下
端フック３２ａが掛けられている。引張りコイルばね３２の上端フック３２ｂは、プリン
ター本体２のプリンターフレームの側に固定されている。ここで、図７（ａ）から分かる
ように、ばね掛け面３１ｇは、幅方向（紙幅方向）に沿って一定の間隔でばね掛け用の溝
が形成されている。これらの溝のいずれかに引張りコイルばね３２の下端フック３２ａを
掛けることができる。
【００３８】
押えレバー３１における前後方向の中心よりも僅かに前側の部位には、天板部分３１ａ
が矩形に切り取られた開口部３１ｈが形成されており、この開口部３１ｈの後側の縁から
は一定幅で下方に直角に折り曲げた垂直折り曲げ片３１ｉが形成されており、この垂直折
り曲げ片３１ｉの下端には前方に直角に折り曲げた水平折り曲げ片３１ｊが形成されてい
る。水平折り曲げ片３１ｊは押えレバー３１の幅方向（左右方向）の中央部分（紙押えロ
ーラー２３の幅方向の中央部分に対応する部位）に位置しており、図６および図７（ａ）
に示すように、当該水平折り曲げ片３１ｊの幅方向の中心には、両側よりも上方に突出し
た押えレバー支点３１ｋ（揺動支点）が形成されている。
【００３９】
この押えレバー支点３１ｋに乗った状態で、押えレバー支軸３３（揺動支持部材）が幅
方向に水平に配置されている（図６においては押えレバー支軸３３を簡素化して二重線で
示してある）。押えレバー支軸３３の両側の軸端部３３ａ、３３ｂは、図６、図７（ａ）
から分かるように、押えレバー３１の両側の側板部分３１ｂ、３１ｃに形成した上下方向
に長い軸孔３１ｍ、３１ｎを貫通して両側に突出している。軸孔３１ｍ、３１ｎは上下方
向の長さが押えレバー支軸３３の直径よりも大きい。押えレバー３１の側板部分３１ｂ、
３１ｃの両側には、プリンター本体２の側のプリンターフレームに固定した垂直支持ブラ
ケット３４ａ、３４ｂが配置されており、これらの垂直支持ブラケット３４ａ、３４ｂに
よって、押えレバー支軸３３はプリンター幅方向に水平に延びる状態で固定されている。
【００４０】
したがって、押えレバー３１は、押えレバー支軸３３によって、押えレバー支点３１ｋ
を中心として前後左右に揺動可能な状態で支持されている。
【００４１】
このように、押えレバー支点３１ｋを中心とする自動調芯作用によって、引張りコイル
ばね３２によって付勢されている押えレバー３１は軸孔３１ｍ、３１ｎによって許容され
る範囲で左右方向に揺動可能である。よって、押えレバー３１の前端に架け渡されている
紙押えローラー２３も同様に左右方向に揺動可能である。これにより、紙押えローラー２
３は左右方向における各部分が均一な接触圧となる姿勢で紙送りローラー２１に押し付け
られる。
【００４２】
次に、紙押えローラー２３は、図７（ｂ）から分かるように、ローラー軸２３ａと、こ
のローラー軸２３ａに回転自在の状態で同軸状態に取り付けた２個のローラー本体２３ｂ
、２３ｃとを備えている。これらのローラー本体２３ｂ、２３ｃは同一幅であり、ローラ
ー軸２３ａの幅方向における中心位置２３ｄに対して左右対称の位置に配置されている。
また、これらのローラー本体２３ｂ、２３ｃの間隔は、ほぼ、これらのローラー幅ｗに等
しくなるように設定されている。
【００４３】
ここで、図８はロール紙プリンター１の内部構造の一部を示す説明図であり、プラテン
と紙送り機構３０の部分を示してある。この図において、幅Ｗ１は、プラテン上の記録紙
搬送路の幅（搬送可能な最大記録紙幅）を示している。本例の紙送りローラー２１はこの
幅Ｗ１を包含する長さのものであるが、紙押えローラー２３は、幅Ｗ１の中央部分の狭い
幅Ｗ２内に配置されており、しかも、各ローラー本体２３ｂ、２３ｃの各幅は、幅Ｗ２の
略１／３と狭い。
【００４４】
次に、再び、図４〜図７を参照して説明する。紙送り機構３０の紙送りローラー２１は
先に述べたように開閉蓋３の側に搭載されている。したがって、開閉蓋３を開くと、図４
に示すように、紙送りローラー２１およびプラテン１９がそれぞれ紙押えローラー２３お
よびインクジェットヘッド１８のノズル面から離れて記録紙搬送路１５が開放状態に切り
替わる。この状態では、紙押えローラー２３を支持している押えレバー３１は引張りコイ
ルばね３２のばね力によって押えレバー支軸３３を中心として、前端側が下方に揺動して
、紙押えローラー２３も下方に移動する。
【００４５】
本例では、図５および図６に示すように、押えレバー３１の前方および下方を幅方向に
延びるＬ型断面の規制板３５が配置されている。規制板３５はプリンター本体２のプリン
ターフレームの側に固定されており、プリンター幅方向に水平に延びている。押えレバー
３１の前端の左右の支持腕３１ｄ、３１ｅの下端面部分３１ｐ、３１ｑは、規制板３５の
水平板部分３５ａに上側から当接可能となっている。したがって、開閉蓋３を開けた場合
に、規制板３５によって押えレバー３１は水平な姿勢に保持され、そこに支持されている
紙押えローラー２３も水平な姿勢に保持される。
【００４６】
（紙送り機構の作用効果）
このように構成した紙送り機構３０の作用効果を説明する。まず、紙送り機構３０では
、押えレバー支点３１ｋを中心とする自動調芯作用によって、押えレバー３１の前端部に
支持されている紙押えローラー２３が幅方向の各部分において均一な接触圧で紙送りロー
ラー２１に押し付けられた状態が形成される。また、かかる自動調芯作用の揺動中心であ
る押えレバー支点３１ｋが、紙送りローラー２１の幅方向の中心に一致していない場合に
は、搬送される記録紙に作用する紙送り力が左右において不均衡になり、記録紙１２ａの
蛇行、斜行が発生しやすくなる。この場合には、引張りコイルばね３２の下端フック３２
ａのばね掛け位置を幅方向にずらすことにより、記録紙１２ａに作用する紙送り力が幅方
向の両側において均衡した状態を形成できる。
【００４７】
たとえば、図６、図７に示すように、ばね掛け位置が幅方向の中心位置にある場合に、
この位置を右側に移動すると、押えレバー支点３１ｋよりも前側において押えレバー３１
によって支持されている紙送りローラー２１の側は、左側の部分にばね力が多く作用する
状態になる。ばね掛け位置を逆に移動すると、紙送りローラー２１の側には右側の部分に
ばね力が多く作用するようになる。したがって、ばね掛け位置を左右に調整することによ
って、紙送りローラー２１および紙押えローラー２３による紙送り力を記録紙幅方向の左
右において均衡させることができる。よって、記録紙１２ａを、蛇行、斜行させることな
く搬送できる。
【００４８】
また、紙送り機構３０では、紙押えローラー２３は幅の狭い３個のローラー本体２３ｂ
、２３ｃから形成されており、これらが記録紙幅方向の中央部分の狭い範囲内において左
右対称に配置されている。紙押えローラーのローラー幅が広いと、そのローラー径の幅方
向のバラツキも大きくなり、幅方向における紙送りローラーに対する接触圧を均一にする
ことが困難であるが、本例によれば、狭いローラー本体を２個用いることにより、ローラ
ー径のバラツキを抑えることができ、接触圧を均一にすることができる。また、紙押えロ
ーラー２３によって紙送りローラー２１に押し付けられながら搬送される記録紙１２ａは
、その幅方向の中央部分に送り力が作用する。したがって、幅方向に離れた両側の部分に
送り力が作用する場合に比べて、送り力が記録紙の左右において不均一化することを抑制
でき、蛇行、斜行状態を発生させることなく記録紙を搬送することができる。
【００４９】
さらに、紙送り機構３０においては、規制板３５を配置して、開閉蓋３が開いた状態に
おいては、押えレバー３１の前端の両側部分が規制板３５に当接するので、押えレバー３
１がプリンター幅方向において水平な姿勢に保持される。したがって、ここに取り付けら
れている紙押えローラー２３も水平な姿勢に保持される。この結果、開閉蓋３を閉じる際
に、再び紙送りローラー２１と紙押えローラー２３が当接する際には、それらの幅方向に
おける当接負荷が左右において均一となるので、開閉蓋３のロック機構が片閉まり状態に
陥るなどの弊害を防止できる。
【符号の説明】
【００５０】
１  ロール紙プリンター、２  プリンター本体、２ａ  外装ケース、３  開閉蓋、３ａ  
蓋ケース、４  記録紙排出口、５  排紙ガイド、６  蓋開閉レバー、１０  ロール紙収納
部、１２  ロール紙、１２ａ  記録紙、１４  テンションガイド、１５  搬送路、１８  
インクジェットヘッド、１９  プラテン、２１  紙送りローラー、２３  紙押えローラー
、２３ａ  ローラー軸、２３ｂ，２３ｃ  ローラー本体、２３ｄ  中心位置、２４  下流
側紙送りローラー、２５  紙押えローラー、２６  オートカッター、２７  繰り出しロー
ラー、２８  押えローラー、３０  紙送り機構、３１  押えレバー（ローラー支持部材）
、３１ａ  天板部分、３１ｂ，３１ｃ  側板部分、３１ｄ，３１ｅ  支持腕、３１ｈ  開
口部、３１ｉ  垂直折り曲げ片、３１ｊ  水平折り曲げ片、３１ｋ  押えレバー支点（揺
動支点）、３１ｍ，３１ｎ  軸孔、３１ｐ，３１ｑ  下端面部分、３２  引張りコイルば
ね（付勢部材）、３２ａ  下端フック、３２ｂ  上端フック、３３  押えレバー支軸（揺
動支持部材）、３３ａ，３３ｂ  軸端部、３４ａ，３４ｂ  垂直支持ブラケット、３５  
規制板、３５ａ  水平板部分
【図１】
2010201682.tif 000003
【図２】
2010201682.tif 000004
【図３】
2010201682.tif 000005
【図４】
2010201682.tif 000006
【図５】
2010201682.tif 000007
【図６】
2010201682.tif 000008
【図７】
2010201682.tif 000009
【図８】
2010201682.tif 000010